(57)【要約】【課題】  商品の情報に基づいて、店舗に赴いて実際の商品を探す際の利便性に優れる商品検索システムを提供すること。【解決手段】  商品の識別情報が記憶された非接触のＩＣタグと、陳列された商品に付されたＩＣタグから当該商品の識別情報を読み取ることが可能な読取手段と、読取手段により読み取られた商品の識別情報、及び、当該読取手段が設置されている位置に関する位置情報を含む商品関連情報を記憶する記憶手段と、記憶手段により記憶されている商品関連情報なかから、利用者により入力された商品検索情報に適合する商品関連情報を検索する検索手段と、検索手段の検索結果に基づく商品関連情報を表示する表示手段とを備えたことを特徴とする商品検索システム。【選択図】    図５
2005275763.tif 000002
【特許請求の範囲】
【請求項１】
商品の識別情報が記憶された非接触のＩＣタグと、
陳列された商品に付された前記ＩＣタグから当該商品の識別情報を読み取ることが可能な読取手段と、
前記読取手段により読み取られた商品の識別情報、及び、当該読取手段が設置されている位置に関する位置情報を含む商品関連情報を記憶する記憶手段と、
前記記憶手段により記憶されている商品関連情報なかから、利用者により入力された商品検索情報に適合する商品関連情報を検索する検索手段と、
前記検索手段の検索結果に基づく商品関連情報を表示する表示手段と
を備えたことを特徴とする商品検索システム。
【請求項２】
前記記憶手段に対するアクセスを許可するための認証を行う認証手段を備えたことを特徴とする請求項１に記載の商品検索システム。
【請求項３】
店舗内に陳列された商品にそれぞれに貼付されたＩＣタグと、当該ＩＣタグから商品識別情報を読み取る読取装置と、該読取装置と通信回線とを備えた情報処理装置、及び、前記通信回線を介して接続される端末装置とからなる商品検索システムの情報処理装置であって、
陳列された商品に付された非接触のＩＣタグから読取手段により読み取られた当該商品の識別情報、及び、当該読取手段が設置されている位置に関する位置情報を含む商品関連情報を記憶する記憶手段と、
上記記憶手段により記憶されている商品関連情報なかから、利用者により入力された商品検索情報に適合する商品関連情報を検索する検索手段と、
上記検索手段の検索結果に基づく商品関連情報を前記端末装置の表示装置に表示させるために前記通信回線を介して前記端末装置に送信する送信手段と
を備えたことを特徴とする情報処理装置。
【発明の詳細な説明】
【技術分野】
【０００１】
本発明は、商品に関する情報についての検索を行うことが可能な商品検索システム、及び、当該商品検索システムに適用される情報処理装置に関する。
【背景技術】
【０００２】
従来、インターネット上で各種の商品を販売するショッピングサイトが存在する（例えば、特許文献１参照）。このようなショッピングサイトでは、携帯端末機やＰＣ（パーソナル・コンピュータ）等を用いて、外出先や自宅から商品の検索や、購入を行うことができるため実際に店舗に赴く必要がなく、利便性に優れる。
【０００３】
【特許文献１】特開２００３−３４６００６号公報
【発明の開示】
【発明が解決しようとする課題】
【０００４】
しかしながら、上述したようなショッピングサイトのうち、実際の店舗が運営しているショッピングサイトでは、商品の外観、機能、価格等が表示されるのみであり、その商品が店舗内のどの場所に陳列されているかについての情報が得られないため、商品の詳細な情報を得るために店舗に赴き、目的の商品を探す際の利便性に劣るものであった。
なお、実際の店舗が運営しているショッピングサイトのなかには、店舗内の各フロアに関する情報が表示されるものも存在するが、一般的には、商品のジャンルについての情報のみであり、各フロアにどのような商品が陳列されているかについての詳細な情報を得ることができず、結局、店舗に赴き目的の商品を探す際に時間がかかってしまうこととなる。
また、店員に尋ねる場合には、店舗内の状況や商品についての知識量が店員ごとにそれぞれ異なるため、店員によっては、回答に時間がかかってしまい、結局、目的の商品を探す際に時間がかかってしまうこととなる。
【０００５】
本発明は上述した問題に鑑みてなされたものであり、その目的は、商品の情報に基づいて、店舗に赴いて実際の商品を探す際の利便性に優れる商品検索システム、及び、当該商品検索システムに適用される情報処理装置を提供することにある。
【課題を解決するための手段】
【０００６】
上述した課題を解決するために、本発明は、以下のようなものを提供する。
（１）商品の識別情報が記憶された非接触のＩＣタグと、
陳列された商品に付された上記ＩＣタグから当該商品の識別情報を読み取ることが可能な読取手段と、
上記読取手段により読み取られた商品の識別情報、及び、当該読取手段が設置されている位置に関する位置情報を含む商品関連情報を記憶する記憶手段と、
上記記憶手段により記憶されている商品関連情報なかから、利用者により入力された商品検索情報に適合する商品関連情報を検索する検索手段と、
上記検索手段の検索結果に基づく商品関連情報を表示する表示手段と
を備えたことを特徴とする商品検索システム。
【０００７】
（１）の発明によれば、例えば、上記読取手段が設置されている店舗名、フロア、当該フロアにおける設置位置等の位置情報を含む商品関連情報を上記記憶手段が記憶するようににすることにより、利用者は、商品の検索を行った際に、当該商品が陳列されている店舗名、フロア、当該フロアにおける陳列位置を知ることが可能となる。その結果、店舗に赴いて実際の商品を探す際に、目的の商品を短時間で見つけることが可能となり、利便性に優れたものとなる。
【０００８】
また、上記読取手段は、ＩＣタグが付された商品が棚等に陳列されているときに、当該商品の識別情報を読み取ることが可能であるため、一の棚に陳列されている商品を、他の棚に移動させた場合であっても、そのことを記憶手段の記憶内容に迅速に反映させることが可能となるため、利用者は、目的の商品を確実に見つけることが可能となる。
【０００９】
さらに、本発明は、以下のようなものを提供する。
（２）  上記（１）に記載の商品検索システムであって、
上記記憶手段に対するアクセスを許可するための認証を行う認証手段を備えたことを特徴とする。
【００１０】
（２）の発明によれば、利用者の個人情報の入力等に基づく認証を行うようにすることが可能となり、商品検索システム全体のセキュリティの向上を図ることができる。
【００１１】
さらに、本発明は、以下のようなものを提供する。
（３）店舗内に陳列された商品にそれぞれに貼付されたＩＣタグと、当該ＩＣタグから商品識別情報を読み取る読取装置と、該読取装置と通信回線とを備えた情報処理装置、及び、前記通信回線を介して接続される端末装置とからなる商品検索システムの情報処理装置であって、
陳列された商品に付された非接触のＩＣタグから読取手段により読み取られた当該商品の識別情報、及び、当該読取手段が設置されている位置に関する位置情報を含む商品関連情報を記憶する記憶手段と、
上記記憶手段により記憶されている商品関連情報なかから、利用者により入力された商品検索情報に適合する商品関連情報を検索する検索手段と、
上記検索手段の検索結果に基づく商品関連情報を前記端末装置の表示装置に表示させるために前記通信回線を介して前記端末装置に送信する送信手段と
を備えたことを特徴とする情報処理装置。
【００１２】
（３）の発明によれば、例えば、上記読取手段が設置されている店舗名、フロア、当該フロアにおける設置位置等の位置情報を含む商品関連情報を上記記憶手段が記憶するようににすることにより、利用者は、商品の検索を行った際に、当該商品が陳列されている店舗名、フロア、当該フロアにおける設置位置を知ることが可能となる。その結果、店舗に赴いて実際の商品を探す際に、目的の商品を短時間で見つけることが可能となり、利便性に優れたものとなる。
【発明の効果】
【００１３】
本発明の構成によれば、店舗に赴いて実際の商品を探す際に、目的の商品を短時間で見つけることが可能となり、利便性に優れたものとなる。
【発明を実施するための最良の形態】
【００１４】
以下、本発明の実施形態について、図面を用いて説明する。
図１は、本発明の商品検索システムのネットワーク構成の一例を模式的に示す概念図である。
【００１５】
本発明に係る商品検索システム１０は、店舗内に陳列された商品５１ａ〜５１ｃにそれぞれに貼付されたＩＣタグ５２ａ〜５２ｃと、ＩＣタグ５２ａ〜５２ｃから商品識別情報を読み取る読取装置５０と、読取装置５０と通信回線１７を介して接続された情報処理装置４０と、携帯電話機２０とから構成されている。
情報処理装置４０及び携帯電話機２０は、通信回線１６を介してインターネット１５に接続されており、互いにデータやプログラム等の情報の送受信が可能な状態にある。
【００１６】
ＩＣタグ５２（５２ａ〜５２ｃ）は、非接触型のＩＣタグであり、貼付された商品についての商品識別情報を記憶している。このＩＣタグ５２は、送受信回路、メモリ及びアンテナを備えており、後述する読取装置５０からの命令信号をアンテナから受信して電力を生成し、商品識別情報を応答電波として送信する。
この非接触型のＩＣタグとしては特に限定されるものではないが、例えば、ＲＦＩＤ（Radio Frequency Identification）システムに使用されるトランスポンダ等を挙げることができる。なお、この技術は従来公知の技術であるので、ここでの説明は省略する。
【００１７】
読取装置５０は、通信可能領域に存在する複数のＩＣタグから商品識別情報を読み取ることが可能であり、図１の場合、３つのＩＣタグ５２ａ〜５２ｃに記憶されている商品識別情報の各々を読み取ることが可能である。
また、読取装置５０は、ＩＣタグ５２ａ〜５２ｃから読み取った商品識別情報、及び、設置されている位置に関する位置情報を含む商品関連情報を情報処理装置４０に送信する。
なお、上述したようなＩＣタグと読取装置とからなる通信システムにおいて、複数のＩＣタグに記憶されている情報を１つの読取装置で読み取る技術としては、例えば、通信衝突回避方式（所謂アンチコリジョン方式）を採用することが可能である。この技術は、従来公知の技術であるので、ここでの説明は省略する。
【００１８】
情報処理装置４０は、読取装置５０から送信された商品関連情報を受信し、記憶する。また、情報処理装置４０は、携帯電話機２０から送信された商品検索情報を受信し、記憶されている商品関連情報のなかから、当該商品検索情報に適合する商品関連情報を検索し、検索結果を携帯電話機２０に送信する。本発明に用いることができる情報処理装置としては、例えば、ＰＣ（パーソナル・コンピュータ）、専用端末機等を挙げることができる。また、この情報処理装置４０は、複数台のＰＣや専用端末機から構成されていてもよい。
【００１９】
携帯電話機２０は、インターネット１５と接続する機能を有しており、利用者は携帯電話機２０を操作し、情報処理装置４０にアクセスを行うことにより、情報処理装置４０に記憶されている商品関連情報の検索を行うことができる。
なお、実施形態においては、情報処理装置にアクセスを行う端末装置として携帯電話機が用いられる場合について説明するが、これに限定されず、例えば、ＰＣ（パーソナル・コンピュータ）、ＰＤＡ（パーソナル・デジタル・アシスタンツ）、店舗に設置された専用端末機等であってもよい。
【００２０】
次に、図１に示した商品検索システムに適用される携帯電話機について図面を用いて説明することにする。
図２は、図１に示した携帯電話機２０の構成の一例を模式的に示すブロック図である。
図２に示すように、携帯電話機２０は、その内部に制御部３０を備えている。この制御部３０は、セントラル・プロセシング・ユニット（ＣＰＵ）２１と、ＲＯＭ２２と、ＲＡＭ２３と、送受信部２４と、入出力バス２８と、入力信号回路２６と、ＬＦコントローラ／アンプ２７と、表示制御回路３６とを備えている。
【００２１】
入力信号回路２６に接続された入力装置２５は、利用者の操作を入力するための装置（例えば、１０キー等）であり、また、入力信号回路２６は、入出力バス２８を介してＣＰＵ２１に接続されている。入出力バス２８は、ＲＯＭ２２及びＲＡＭ２３も接続されている。ＲＯＭ２２及びＲＡＭ２３は、各種の画像を表示させたりするためのプログラム等を記憶することができる。
【００２２】
入出力バス２８には、送受信部２４も接続されている。この送受信部２４は、上述した通信回路１６を介して情報管理装置４０との通信を行うためのものである。また、入出力バス２８には、移動無線通信部３１とＬＦコントローラ／アンプ２７とが接続されており、ＬＦコントローラ／アンプ２７には、スピーカ３４とマイクロフォン２９とが接続されている。移動無線通信部３１はアンテナ等を備えており、発呼信号の送信や着呼信号の受信等を行い、通話中には音声信号の送受信を行う。
また、入出力バス２８には、表示制御回路３６も接続されている。表示制御回路３６は、表示装置３２が接続されており、ＣＰＵ２１における演算処理の結果に応じて表示装置３２に表示信号を供給する。
【００２３】
次に、本発明の商品検索システムに適用される情報処理装置について説明する。
図３は、図１に示した情報処理装置４０の構成の一例を模式的に示すブロック図である。
情報処理装置４０は、ハードディスクドライブ４８と、ＣＰＵ４２と、ＲＯＭ４４と、ＲＡＭ４６と、通信用インターフェイス回路４９とから構成されている。
【００２４】
通信用インターフェイス回路４９は、通信回線１６、１７を介して、携帯電話機２０、読取装置５０とそれぞれ通信を行うためのものである。
ハードディスクドライブ４８は、読取装置５０から送信された商品関連情報を記録する商品関連情報データベース（ＤＢ）６０を備えている。ハードディスクドライブ４８は、商品関連情報を記憶する記憶手段として機能するものである。
この商品関連情報ＤＢ６０については、後に図面（図４）を用いて詳述することにする。
【００２５】
また、ハードディスクドライブ４８は、携帯電話機２０との通信を行うためのプログラム、商品関連情報ＤＢ６０を管理するためのプログラム、商品関連情報ＤＢ６０に記録されている商品関連情報のなかから、携帯電話機２０から送信された商品検索情報に適合する商品関連情報の検索を行うためのプログラム等を記憶する。
【００２６】
次に、情報処理装置４０が備える商品関連情報ＤＢ６０について説明する。
図４は、情報処理装置４０が備える商品関連情報ＤＢ６０の一例を示す図である。
商品関連情報ＤＢ６０に記録されている商品関連情報は、ＩＣタグ５２の識別情報（以下、タグ情報という）と、読取装置５０が設置されている位置に関する位置情報と、ＩＣタグ５２に記憶されている商品識別情報とからなる。
【００２７】
上記位置情報には、当該位置情報に係る読取装置５０が設置されているフロアについての情報と、当該フロアにおける設置位置についての情報とが含まれる。
また、上記商品関連情報には、商品種別、メーカー、サイズ、色及び価格についての情報が含まれる。
【００２８】
例えば、３階の婦人服売場には、メーカーが○○○社、サイズがＬサイズ、価格が１５０００円である茶色の婦人用ズボンが陳列されている。
また、例えば、４階の紳士服売場には、メーカーが▲▲▲社、サイズがＸＬサイズ、価格が４５０００円である黒色のジャケットが陳列されている。
さらに、例えば、５階の靴売場には、メーカーが■■■社、サイズが２７．５ｃｍ、価格が２００００円である白色の男性用スニーカーが陳列されている。
なお、商品の売場に陳列されている商品の商品関連情報の他、売場に陳列されていない在庫品の商品関連情報が、商品関連情報ＤＢ６０に登録されるようにしてもよい。このようにすることにより、利用者は、その店舗が保有している全ての商品のなかから検索を行うことが可能となる。
【００２９】
以下、実施形態に係る商品検索システムを構成する読取装置５０において実行される商品関連情報送信処理について図５を用いて説明する。
図５は、図１に示した商品検索システムを構成する読取装置５０において実行される商品関連情報送信処理を示すフローチャートである。このサブルーチンは、読取装置５０により商品識別情報が読み取られたときに呼び出されて実行されるサブルーチンである。
【００３０】
このサブルーチンにおいて、読取装置５０は、ＩＣタグ５２から読み取ったタグ情報及び商品識別情報に位置情報を付加する処理を実行（ステップＳ１５１）し、タグ情報、商品識別情報、及び、ステップＳ１５１の処理で付加された位置情報からなる商品識別情報を、情報処理装置４０に対して送信する処理を実行する（ステップＳ１５２）。そして、ステップＳ１５２の処理を実行すると、本サブルーチンを終了する。
【００３１】
次に、実施形態に係る商品検索システムを構成する情報処理装置４０において実行される商品関連情報ＤＢ更新処理について図６を用いて説明する。
図６は、図１に示した商品検索システムを構成する情報処理装置４０において実行される商品関連情報ＤＢ更新処理を示すフローチャートである。このサブルーチンは、予め実行されているメインルーチンから所定のタイミングで呼び出されて実行されるサブルーチンである。
【００３２】
まず、情報処理装置４０は、未登録のタグ情報を含む商品関連情報を受信したか否かを判断する（ステップＳ２５０）。この処理において、情報処理装置４０のＣＰＵ４２は、商品関連情報ＤＢ６０に登録されていないタグ情報を含む商品関連情報を読取装置５０から受信したか否かを判断する。
【００３３】
ステップＳ２５０において、未登録のタグ情報を含む商品関連情報を受信したと判断した場合、次に、情報処理装置４０は、商品関連情報を追加する処理を実行する（ステップＳ２５１）。この処理において、情報処理装置４０のＣＰＵ４２は、ステップＳ２５０の処理受信したと判断した商品関連情報を商品関連情報ＤＢ６０に追加する処理を実行する。
【００３４】
ステップＳ２５１の処理を実行するか、又は、上述したステップＳ２５０において未登録のタグ情報を含む商品関連情報を受信していないと判断した場合、次に、情報処理装置４０は、商品関連情報の削除指示があったか否かを判断する（ステップＳ２５２）。この処理において、情報処理装置４０のＣＰＵ４２は、店舗内のレジにおいて、商品の清算が行われ、店員等により当該商品の商品関連情報を商品関連情報ＤＢ６０から削除する旨の指示の入力があったか否かを判断する。
【００３５】
ステップＳ２５２において、商品関連情報の削除指示があったと判断した場合、次に、情報処理装置４０は、商品関連情報を削除する処理を実行する（ステップＳ２５３）。この処理において、情報処理装置４０のＣＰＵ４２は、上述したステップＳ２５２において削除指示があったと判断された商品関連情報を、商品関連情報ＤＢ６０から削除する処理を実行する。
【００３６】
ステップＳ２５３の処理を実行するか、又は、ステップＳ２５２において商品関連情報の削除指示がなかったと判断した場合、次に、情報処理装置４０は、位置情報が変更された商品関連情報を受信したか否かを判断する（ステップＳ２５４）。この処理において、情報処理装置４０のＣＰＵ４２は、商品関連情報ＤＢに登録されている商品関連情報のなかで、タグ情報が同一で、且つ、位置情報が異なる商品関連情報を受信したか否かを判断する。
【００３７】
ステップＳ２５４において、位置情報が変更された商品関連情報を受信したと判断した場合、次に、情報処理装置４０は、商品関連情報を変更する処理を実行する（ステップＳ２５５）。この処理において、情報処理装置４０のＣＰＵ４２は、商品関連情報ＤＢ６０に登録されている商品関連情報に含まれる位置情報を、上述したステップＳ２５４において受信したと判断された商品関連情報に係る位置情報に変更する処理を実行する。
ステップＳ２５５の処理を実行するか、又は、ステップＳ２５４において位置情報が変更された商品関連情報を受信していないと判断した場合、本サブルーチンを終了する。
【００３８】
図６に示したように、実施形態に係る商品検索システム１０では、商品関連情報ＤＢ６０に登録されていないタグ情報が記憶されたＩＣタグの商品識別情報が読取装置５０により読み取られたとき、店員等により商品関連情報を商品関連情報ＤＢ６０から削除する旨の指示の入力があったとき、又は、ＩＣタグが一の読取装置の通信範囲から他の読取装置の通信範囲に移動して当該ＩＣタグに付加される位置情報が変更されたときに、その結果が商品関連情報ＤＢ６０に反映されるのである。
【００３９】
以下、実施形態に係る商品検索システムを構成する携帯電話機２０及び情報処理装置４０において実行される商品検索処理について図７を用いて説明する。
図７は、図１に示した商品検索システムにおいて実行される商品検索処理を示すフローチャートである。このサブルーチンは、予め実行されているメインルーチンから所定のタイミングで呼び出されて実行されるサブルーチンである。
【００４０】
まず、携帯電話機２０は、商品関連情報ＤＢ６０に対するアクセスを要求する旨の要求信号を情報処理装置４０に対して送信する（ステップＳ２００）。このステップＳ２００の処理は、携帯電話機２０の入力装置２５への利用者による操作に基づいて行われる。
【００４１】
当該要求信号を受信した情報処理装置４０は、ログインデータを携帯電話機２０に対して送信する（ステップＳ１００）。このログインデータには、商品関連情報ＤＢ６０に対するアクセスが許可された利用者を特定し、ログインを行うために、ＩＤ、パスワードの入力を可能とするログイン画像を携帯電話機２０の表示装置３２に表示させるためのデータが含まれる。
【００４２】
当該ログインデータを受信した携帯電話機２０は、ログイン画像を表示する処理を実行する（ステップＳ２０１）。このステップＳ２０１において、携帯電話機２０のＣＰＵ２１は、受信したログインデータに基づいて、ＩＤ、パスワードの入力を可能とするログイン画像を表示装置３２に表示させる。このログイン画像が表示装置３２に表示されると、利用者は、携帯電話機２０の入力装置２５を操作することにより、ＩＤ、パスワードを入力することができる。このログイン画像については、後に図面（図８）を用いて詳述する。
【００４３】
ステップＳ２０１の処理を実行した携帯電話機２０は、次に、ＩＤ、パスワードが入力されたか否かを判断する（ステップＳ２０２）。このステップＳ２０２において、携帯電話機２０のＣＰＵ２１は、入力装置２５の操作により、ＩＤ、パスワードの入力があったか否かを判断する。
ステップＳ２０２においてＩＤ、パスワードの入力がなかったと判断した場合、処理をステップＳ２０２に戻す。
【００４４】
一方、ステップＳ２０２においてＩＤ、パスワードの入力があったと判断した場合、携帯電話機２０は、入力されたＩＤ、パスワードを情報処理装置４０に対して送信する（ステップＳ２０３）。
【００４５】
携帯電話機２０からＩＤ、パスワードを受信した情報処理装置４０は、ＩＤ、パスワードが一致しているか否かを判断する（ステップＳ１０１）。この処理において、情報処理装置４０のＣＰＵ４２は、携帯電話機２０から受信したＩＤ、パスワードが、ハードディスクドライブ４８に登録されている複数の利用者についてのＩＤ、パスワードのいずれかと一致しているか否かを判断する。このステップＳ１０１の処理を実行するとき、情報処理装置４０は、認証手段として機能する。
ステップＳ１０１において、ＩＤ、パスワードが一致していないと判断した場合、情報処理装置側のサブルーチンを終了する。
【００４６】
一方、ステップＳ１０１において、ＩＤ、パスワードが一致していると判断した場合、情報処理装置４０は、アクセス許可信号を送信する（ステップＳ１０２）。この処理において、情報処理装置４０のＣＰＵ４２は、商品関連情報ＤＢ６０へのアクセスを許可する旨のアクセス許可信号を携帯電話機２０に対して送信する。このアクセス許可信号には、携帯電話機２０の入力装置２５の操作による商品検索情報の入力を可能とする商品検索画像を、携帯電話機２０の表示装置３２に表示させるためのデータが含まれる。
【００４７】
当該アクセス許可信号を受信した携帯電話機２０は、商品検索画像を表示する処理を実行する（ステップＳ２０４）。この処理において、携帯電話機２０のＣＰＵ２１は、受信したアクセス許可信号に基づき、入力装置２５の操作による商品検索情報の入力を可能とする商品検索画像を表示装置３２に表示させる。この商品検索画像については、後に図面（図８）を用いて詳述する。
【００４８】
ステップＳ２０４の処理を実行すると、次に、携帯電話機２０は、商品検索情報が入力されたか否かを判断する（ステップＳ２０５）。この処理において、携帯電話機２０のＣＰＵ２１は、上述したステップＳ２０４の処理により、表示装置３２に商品検索画像が表示されているときに、入力装置２５の操作による商品検索情報の入力があったか否かを判断する。
ステップＳ２０５において、商品検索情報の入力がなかったと判断した場合、ＣＰＵ２１は、処理をステップＳ２０５に戻す。
一方、ステップＳ２０５において、商品検索情報の入力があったと判断した場合、携帯電話機２０は、商品検索情報を送信する（ステップＳ２０６）。この処理において、携帯電話機２０のＣＰＵ２１は、入力された商品検索情報を情報処理装置４０に対して送信する。
【００４９】
当該商品検索情報を受信した情報処理装置４０は、検索実行処理を行う（ステップＳ１０３）。この処理において、情報処理装置４０のＣＰＵ４２は、携帯電話機２０から受信した商品検索情報に基づいて、商品関連情報ＤＢ６０に登録されている商品関連情報のなかから、当該商品検索情報に適合する商品関連情報を検索する処理を実行する。このステップＳ１０３の処理を実行するとき、情報処理装置４０は、検索手段として機能する。
【００５０】
ステップＳ１０３の処理を実行すると、次に、情報処理装置４０は、検索結果情報を送信する（ステップＳ１０４）。この処理において、情報処理装置４０のＣＰＵ４２は、上述したステップＳ１０３の検索実行処理における検索結果に関する検索結果情報を、携帯電話機２０に対して送信する。この検索結果情報には、商品関連情報ＤＢ６０に登録されている商品関連情報のうち、携帯電話機２０から受信した商品検索情報に適合する商品関連情報、及び、当該商品関連情報を携帯電話機２０の表示装置３２に表示させるための情報が含まれる。ステップＳ１０４の処理を実行すると、情報処理装置側のサブルーチンを終了する。
【００５１】
当該検索結果情報を受信した携帯電話機２０は、検索結果画像を表示する処理を実行する（ステップＳ２０７）。この処理において、携帯電話機２０のＣＰＵ２１は、情報処理装置４０から受信した検索結果情報に基づいて、検索結果画像を表示装置３２に表示させる処理を実行する。このステップＳ２０７の処理を実行するとき、携帯電話機２０は、表示手段として機能する。ステップＳ２０７の処理を実行すると、携帯電話機側のサブルーチンを終了する。
【００５２】
次に、図７に示したサブルーチンが実行されているときに、携帯電話機２０の表示装置３２に表示される画像について図８を用いて説明する。
図８（ａ）〜（ｃ）は、携帯電話機２０の表示装置３２に表示される画面画像の一例を模式的に示す図である。
【００５３】
図８（ａ）に示す画面画像は、図７に示したサブルーチンのステップＳ２０１の処理において、携帯電話機２０の表示装置３２に表示されるログイン画像である。
図８（ａ）に示す画面画像の上側には、商品検索サービスを行っている店舗名を示す画像が表示されている。また、画面画像の下側には、ＩＤの入力欄が表示され、その下側には、パスワードの入力欄が表示されている。
この画面画像が表示されているときに、入力装置２５の操作によりＩＤ及びパスワードの入力が行われ、情報処理装置４０により当該ＩＤ及びパスワードによる認証が行われた結果、商品関連情報ＤＢ６０へのアクセスが許可された場合には、次に、図８（ｂ）に示す画面画像が表示される。
【００５４】
図８（ｂ）に示す画面画像は、図７に示したサブルーチンのステップＳ２０４の処理において、携帯電話機２０の表示装置３２に表示される商品検索画像である。
図８（ｂ）に示す画面画像の上端には、商品検索情報の入力を促す画像が表示されている。その下側には、商品検索情報の入力欄が複数表示されており、上から順に、商品種別の入力欄、男性用又は女性用の選択肢に係るラジオボタン、メーカーの入力欄、サイズの入力欄、色の入力欄、及び、価格範囲の入力欄がそれぞれ表示されている。
そして、入力装置２５の操作により、各入力欄に商品検索情報が入力され、当該商品検索情報を情報処理装置４０に送信する旨の操作が行われると、次に、図８（ｃ）に示す画面画像が表示される。
【００５５】
図８（ｃ）に示す画面画像は、図７に示したサブルーチンのステップＳ２０７の処理において、携帯電話機２０の表示装置３２に表示される検索結果画像である。
図８（ｃ）に示す画面画像の上側には、情報処理装置４０による検索結果に基づく商品関連情報のなかの一の商品関連情報に係る商品識別情報が表示されている。すなわち、図８（ｂ）に示した画面画像が表示されているときに入力された商品検索情報に適合する一の商品関連情報に係る商品識別情報が表示されている。
また、画面画像の下側には、上記一の商品関連情報に係る読取装置５０が設置されているフロア、及び、当該フロア内における設置位置を示す画像が表示されている。この画像は、当該一の商品関連情報に係る読取装置５０の位置情報に基づくものである。これにより、利用者は、この画面画像に示された検索結果に係る商品が陳列されている場所を認識することが可能となる。
【００５６】
図１〜図８を用いて説明したように、実施形態に係る商品検索システム１０では、商品識別情報と、読取装置５０が設置されている位置についての位置情報とを含む商品関連情報が情報処理装置４０に記憶されているため、利用者は、商品の検索を行った際に、当該商品が陳列されているフロア、及び、当該フロアにおける商品の陳列位置を知ることが可能となる。その結果、店舗に赴いて実際の商品を探す際に、目的の商品を短時間で見つけることが可能となり、利便性に優れたものとなる。
また、読取装置５０は、ＩＣタグ５２が貼付された商品が棚等に陳列されているときに、商品識別情報を読み取ることが可能であるため、一の棚に陳列されている商品を、他の棚に移動させた場合であっても、そのことを商品関連情報ＤＢ６０の登録内容に迅速に反映させることが可能となるため、利用者は、目的の商品を確実に見つけることが可能となる。
【００５７】
また、実施形態に係る商品検索システム１０では、ＩＤ、パスワードによる認証を行うようにすることが可能であるため、商品検索システム全体のセキュリティの向上を図ることができる。
【００５８】
本発明では、店舗の出入口等に、ＩＣタグの受信機を設置しておくことが望ましい。未清算の商品が店外に持ち出されることを防止することができるからである。
【００５９】
また、本発明の商品検索システムは、情報処理装置と通信回線を介して接続された撮影装置を備え、当該撮影装置が、撮影した画像を上記情報処理装置に送信する画像送信手段と、端末装置（例えば、携帯電話機やＰＣ等）から上記情報処理装置を介して入力された指示に基づいて移動する移動手段を備えていることが望ましい。
このような構成とすることにより、外出先や自宅から端末装置を操作することにより、目的の商品が陳列されている場所、及び、その近傍を撮影した画像を入手することができるため、確実且つ迅速に目的の商品を見つけることが可能となるからである。
また、撮影装置を移動させることにより、陳列されている商品の画像を入手することも可能である。この場合、店舗に赴くことなく自宅又は外出先で当該画像を見て商品の購入を検討することが可能となり、より利便性に優れたものとなる。
【００６０】
また、本発明では、読取手段から送信された商品関連情報に、所定のサービス情報（例えば、割引対象商品である旨の情報、タイムサービス中である旨の情報等）が付加されて記憶手段に記憶されるように商品検索システムが構成されていてもよい。このようにすることにより、利用者が所有する端末装置から上記サービス情報を得ることが可能となるため、より利便性に優れたものとなる。
【００６１】
上述した例では、検索手段による検索結果に基づく商品関連情報を表示する表示手段を、携帯電話機が備えている場合について説明したが、表示手段は、情報処理装置が備えていてもよい。当該表示手段を備えた情報処理装置を、店舗の出入口等に設置しておくことにより、入店時に目的の商品の有無、及び、当該商品の陳列位置を検索することが可能となる。
また、本発明では、情報処理装置と通信回線を介して接続されるとともに、上記表示手段を備えた店舗用の端末装置を備えていてもよい。
【００６２】
また、本発明では、複数の店舗内に設置された情報処理装置の各々と通信回線を介して接続された管理装置を備え、各店舗に陳列されている商品についての商品識別情報を記憶する記憶手段、及び、利用者により入力された商品検索情報に適合する商品関連情報を検索する検索手段を当該管理装置が備えるように商品検索システムが構成されていてもよい。
このようにすることにより、上記管理装置にアクセスを行うことにより、複数の店舗の商品について検索を行うことが可能となるため、より利便性に優れたものとなる。
【図面の簡単な説明】
【００６３】
【図１】本発明の商品検索システムのネットワーク構成の一例を模式的に示す概略図である。
【図２】本発明に係る携帯電話機の構成の一例を模式的に示すブロック図である。
【図３】本発明に係る情報処理装置の構成の一例を模式的に示すブロック図である。
【図４】本発明に係る商品関連情報ＤＢの一例を示す図である。
【図５】図１に示した商品検索システムを構成する読取装置において実行される商品関連情報送信処理を示すフローチャートである。
【図６】図１に示した商品検索システムを構成する情報処理装置において実行される商品関連情報ＤＢ更新処理を示すフローチャートである。
【図７】図１に示した商品検索システムにおいて実行される商品検索処理を示すフローチャートである。
【図８】（ａ）〜（ｃ）は、本発明に係る携帯電話機の表示装置に表示される画面画像の一例を模式的に示す図である。
【符号の説明】
【００６４】
１０  商品検索システム
１５  インターネット
１６、１７  通信回線
２０  携帯電話機
２１、４２  ＣＰＵ
２２、４４  ＲＯＭ
２３、４６  ＲＡＭ
２５  入力装置
３２  表示装置
４０  情報処理装置
４８  ハードディスクドライブ
４０  情報管理装置
６０  商品関連情報ＤＢ
【図１】
2005275763.tif 000003
【図２】
2005275763.tif 000004
【図３】
2005275763.tif 000005
【図４】
2005275763.tif 000006
【図５】
2005275763.tif 000007
【図６】
2005275763.tif 000008
【図７】
2005275763.tif 000009
【図８】
2005275763.tif 000010